(57)【要約】  表示画面（１００）は、表示画面（１００）の左辺部に接して配置され、入力映像がスケーリング表示される映像領域（１１０）と、表示画面（１１０）の最上部に配置され、ユーザによって選択可能な複数の項目を表示するためのトップ領域（１２０）と、表示画面（１１０）の右側または左側に配置され、トップ領域（１２０）においてユーザによって選択された項目よりも下層に位置する複数の項目を少なくとも表示するためのサイド領域（１３０）とを少なくとも含んでいる。サイド領域（１４０）に表示される複数の項目のうちユーザによって現在選択中の項目は、他の項目と識別表示される。当該選択中の項目が規定の時間だけ識別表示された後において、当該選択中の項目を説明するガイダンス（１８０）がサイド領域（１４０）内において当該選択中の項目に近接させて表示される。
2011037188.tif 000002
【特許請求の範囲】
【請求項１】
表示画面に入力映像をスケーリング表示可能とした表示装置であって、
前記表示画面は、
前記表示画面の左辺部に接して配置され、前記入力映像がスケーリング表示される映像領域と、
前記表示画面の最上部に配置され、ユーザによって選択可能な複数の項目を表示するためのトップ領域と、
前記表示画面の右側または左側に配置され、前記トップ領域においてユーザによって選択された項目よりも下層に位置する複数の項目を少なくとも表示するためのサイド領域と、
前記映像領域と前記トップ領域との間に配置され、前記表示装置を操作するためのキーを説明する情報を表示するためのキーガイダンス領域とを少なくとも含んでおり、
前記サイド領域に表示される前記複数の項目のうち前記ユーザによって現在選択中の項目を、他の項目と識別表示する項目識別表示手段と、
前記項目識別表示手段によって、前記選択中の項目が規定の時間だけ識別表示された後において、当該選択中の項目を説明するガイダンスを前記サイド領域内において当該選択中の項目に近接させて表示するガイダンス表示手段とを備えていることを特徴とする表示装置。
【請求項２】
前記項目識別表示手段は、前記サイド領域において表示されている複数の項目のうち、前記ユーザによって選択中の項目以外の項目の表示を全て消去すると共に、当該選択中の項目を、前記サイド領域における固定位置に表示することを特徴とする請求項１に記載の表示装置。
【請求項３】
前記サイド領域において表示されている複数の項目のうち、前記ユーザによる選択が確定した項目の前記ガイダンスと、当該選択が確定した項目の下層に位置する複数の下層項目と、当該複数の下層項目のいずれかを個別に説明する複数の下層ガイダンスとを、前記サイド領域における上から順に表示する表示手段をさらに備えていることを特徴とする請求項１または２に記載の表示装置。
【請求項４】
前記表示手段は、前記サイド領域において、前記キーガイダンスを前記複数の下層ガイダンスの下に表示することを特徴とする請求項３に記載の表示装置。
【請求項５】
前記表示手段は、前記複数の下層項目のうち前記ユーザによって現在選択中の下層項目を、これ以外の下層項目と識別表示すると共に、当該選択中の下層項目を説明するガイダンスを、これ以外のガイダンスと識別表示することを特徴とする請求項３または４に記載の表示装置。
【請求項６】
前記サイド領域において表示されている複数の項目のうち、前記ユーザによる選択が確定した項目の前記ガイダンスと、当該選択が確定した項目の下層に位置する複数の下層項目と、当該複数の下層項目のいずれかを個別に説明する複数の下層ガイダンスと、前記キーガイダンスとを、前記表示画面において全画面表示することを特徴とする請求項１または２に記載の表示装置。
【請求項７】
請求項１から６のいずれか１項に記載の表示装置を動作させるプログラムであって、コンピュータを上記の各手段として機能させるためのプログラム。
【請求項８】
請求項７に記載のプログラムを記録しているコンピュータ読み取り可能な記録媒体。
【発明の詳細な説明】
【技術分野】
【０００１】
本発明は、表示装置、プログラム、および当該プログラムが記録されたコンピュータ読み取り可能な記録媒体に関する。
【背景技術】
【０００２】
近年、テレビ受像機（以下、単にテレビという場合もある。）の高機能化／大画面化が進むと共に、ＢＤ／ＨＤＤ内蔵テレビや、ＰＣ内蔵テレビが提案され、更には、インターネット等のネットワークへの接続を可能にしてＣＡＴＶ放送やＩＰ放送、あるいはワンセグ放送受信を可能にしたテレビや携帯電話が提案される等、テレビの複合化・多機能化が進んでいる。また、テレビ本体に、例えばＨＤＭＩ等のリンク機能を持たせて、外部機器をテレビに接続し、外部機器からの映像を楽しむことを可能としたテレビも提案されている。【０００３】
このように複合化・多機能化されたテレビにおいては、例えば、表示装置の表示画面に複数のソースからの画像を同時に表示させて楽しむことも出来る。例えば、表示画面の一方端部にテレビ本体のチューナーからの映像を比較的大画面でスケーリング表示させ、表示画面の端部に比較的小画面で他の外部機器からの入力映像をスケーリング表示させて２つの映像を表示させる等の視聴方法が可能である。【０００４】
現在市販されている大画面テレビは、殆ど、表示画面のアスペクト比が１６：９の表示装置となっているが、アスペクト比４：３に設定されたコンテンツが放送される場合もあり、また、アスペクト比４：３に設定されたコンテンツを収録したＤＶＤ等もかなり多く流通している。このアスペクト比４：３のコンテンツをアスペクト比１６：９の表示画面に表示させる場合、種々の表示の態様が存在し、自分の好みに応じた表示の態様を選択することができる。【０００５】
また、近年、表示画面のアスペクト比が２１：９のような超ワイドテレビの提案もあり、この場合には、更に多様な表示の対応が存在することとなる。【０００６】
さらに、多機能化したテレビ受像機等の利便性・操作性を向上させるために、電子番組表や操作に関する情報等をオンスクリーン表示（以下ＯＳＤと称する）することも広く行われている。【０００７】
このような視聴形態では、テレビ本体の画面に、チューナやネットワーク（ＩＰ放送、ＣＡＴＶ放送）からの放送映像と、テレビ本体に内蔵された記録／再生装置（ＢＤ、ＨＤＤ、ＰＣ）の再生映像と、外部接続機器からの出力映像とを、複数画面（多画面）に表示して楽しむことができる。ここで、一つの画面に例えばテレビ映像とＢＤ再生映像とを一緒に表示しながら、テレビの操作メニュー、電子番組表（ＥＰＧ)、ＢＤの予約リスト／再生リスト等の情報を同時表示する場合、テレビ映像の一部やＢＤ再生映像の一部に重畳して表示すると、主画面がＯＳＤなどの付加表示に隠れてしまい、表示品位が損なわれる問題が生ずる。【０００８】
以上のような状況において、特許文献１には、操作者にとって操作時の設定内容の確認を容易なものとし、操作性を向上させる表示制御プログラムが開示されている。一方、特許文献２には、操作の進行状況や表示装置の表示内容に応じた操作案内を操作者に対して充分に行うことができる画像形成装置が開示されている。
【先行技術文献】
【特許文献】
【０００９】
【特許文献１】日本国公開特許公報「特開２００７−２２３２３６号公報（平成１９年９月６日公開）」
【特許文献２】日本国公開特許公報「特開２００８−８３９５９号公報（平成２０年４月１０日公開）」
【発明の概要】
【発明が解決しようとする課題】
【００１０】
しかし、上述した従来技術では、選択中の項目と、この項目に対して表示されるガイダンスとの関係が分かりづらい問題がある。【００１１】
本発明は上記の課題を解決するためになされたものであり、その目的は、選択中の項目と、この項目に対して表示されるガイダンスとの関係とを分かりやすくした表示装置を提供することにある。
【課題を解決するための手段】
【００１２】
本発明に係る表示装置は、前記の課題を解決するために、
表示画面に入力映像をスケーリング表示可能とした表示装置であって、
前記表示画面は、
前記表示画面の左辺部に接して配置され、前記入力映像がスケーリング表示される映像領域と、
前記表示画面の最上部に配置され、ユーザによって選択可能な複数の項目を表示するためのトップ領域と、
前記表示画面の左部または右部に配置され、前記トップ領域において前記ユーザによって選択された項目よりも下層に位置する複数の項目を少なくとも表示するためのサイド領域と、
前記映像領域と前記トップ領域との間に配置され、前記表示装置を操作するためのキーを説明する情報を表示するためのキーガイダンス領域とを少なくとも含んでおり、
前記サイド領域に表示される前記複数の項目のうち前記ユーザによって現在選択中の項目を、他の項目と識別表示する項目識別表示手段と、
前記項目識別表示手段によって、前記選択中の項目が規定の時間だけ識別表示された後において、当該選択中の項目を説明するガイダンスを当該サイド領域内において当該選択中の項目に近接させて表示するガイダンス表示手段とを備えていることを特徴としている。【００１３】
上記の構成によれば、サイド領域において、複数の項目のうちいずれか１つを前記ユーザが選択して、その選択状態が規定の時間だけ継続した後、当該サイド領域内において、当該選択中の項目に近接した状態で、当該項目を説明するガイダンスが表示される。したがって、まず、ガイダンスは映像領域に表示されないので、前記ユーザによる映像の視聴を妨げることはない。また、ガイダンスが選択中の項目に近接して表示されるので、両者の関係はユーザが容易に把握できる。【００１４】
以上のように、本発明の表示装置では、ユーザによって選択中の項目と、この項目に対して表示されるガイダンスとの関係とを分かりやすくできる。
【発明の効果】
【００１５】
本発明の表示装置は、ユーザによって選択中の項目と、この項目に対して表示されるガイダンスとの関係とを分かりやすくできる効果を奏する。
【図面の簡単な説明】
【００１６】
【図１】サイド領域に表示された第２階層の複数項目のうち選択中のものにフォーカスおよび当該選択中の項目のガイダンスを表示した状態の表示画面を示す図である。
【図２】本発明の一実施形態に係るテレビ受像機の構成を示すブロック図である。
【図３】図２に示されたリモートコントローラの具体例を示す図である。
【図４】本発明に係る表示装置における表示画面の構成を示す図である。
【図５】入力映像がスケーリング表示された状態の表示画面を詳細に示す図である。
【図６】サイド領域の上部に表示された複数の項目のうち選択中のものにフォーカスを表示した状態の表示画面を示す図である。
【図７】表示画面を示す図であり、（ａ）は、サイド領域において選択中の項目にフォーカスを表示した状態の表示画面を示し、（ｂ）は、当該選択中の項目およびガイダンスをサイド領域における固定位置に表示した状態の表示画面を示している。
【図８】サイド領域において選択が確定された第２階層の項目に位置する複数の項目を表示した状態の表示画面を示す図である。
【図９】ガイダンス、複数のボタン項目、および複数のボタンガイダンスを全画面表示した状態の表示画面を示す図である。
【発明を実施するための形態】
【００１７】
本発明の一実施形態について、図１〜図９を参照して説明する。以下の説明では本発明を実施するために好ましい種々の限定が付与されているが、本発明の技術的範囲は以下の実施の形態及び図面の記載に限定されるものではない。
【００１８】
図２は、本発明の一実施形態に係るテレビ受像機（テレビジョン受像機）の構成を示すブロック図である。
【００１９】
図２において、１０は、例えば、画面サイズが１６：９（１９２０×１０１０ドット）の液晶表示装置２２を有するテレビ受像機の全体を示している。なお、画面サイズがアスペクト比１６：９の液晶表示装置に限定されるものではない。テレビ受像機１０は、バス８に接続されたＣＰＵ６、メモリ７を有している。テレビ受像機１０の動作は、ＣＰＵ６およびメモリ７に記憶された各種の制御プログラムにより制御される。すなわち、図２に示されたテレビ受像機では、ＣＰＵ６を含むコンピュータ・システムによって制御されており、テレビ受像機をコンピュータ・システムによって動作させるためのプログラムはメモリ７に記憶されている。
【００２０】
メモリ７は、通常、ＲＡＭによって構成されるが、一部にＲＯＭを含んでいても良い。また、書き換え可能なフラッシュメモリ等を含んでいても良い。メモリ７には、ＣＰＵを動作させるためのＯＳや各種の制御ソフト等が記憶され、放送波を介して受信したＥＰＧデータ等の番組情報に関するデータ、ＯＳＤ表示を行う際に必要となるＯＳＤ用画像データ等が記憶されている。また、前記メモリ７は、各種制御動作に必要なワークメモリとして働くワーク領域を有している。
【００２１】
テレビ受像機１０には、デジタルチューナー部１４の外に、アナログチューナー部１２が設けられており、アナログ放送も受信可能とされている。また、外部入力部３１には、ＨＤＤ、ＳＤカード等の固体メモリ、ＢＤ（ブルーレイディスク）、ＤＶＤ、ＣＤ等のディスク装置等、種々の外部機器３０が接続可能とされており、更に、テレビ受像機１０の本体内にもＢＤ／ＤＶＤ／ＣＤの記録／再生部３２が内蔵されている。更に、ＩＰ放送チューナー部２３が備えられており、ＩＰ放送の受信も可能とされている。
【００２２】
テレビ受像機１０は、この外、ＡＶスイッチ部１３、デジタル復調部１５、分離部（ＤＭＵＸ）１６、ビデオデコード／キャプチャ部１７、ビデオセレクタ部１８、映像処理部１９、加算回路２０、表示制御部２１（項目識別表示手段、ガイダンス表示手段、表示手段）、液晶表示装置２２、ＥＰＧ／ＯＳＤ／予約処理部２４、オーディオデコード部２５、オーディオセレクタ部２６、音声出力変換部２７、スピーカ２８、選局部３３、通信制御部３４、リモコン受光部３５を有している。テレビ受像機１０には、更に、周囲の明るさを検出するためのＯＰＣ（光）センサ３８が設けられている。
【００２３】
アナログチューナー部１２は、アナログ放送受信用のアンテナ１１を介して受信するアナログテレビ放送信号を選局するもので、選局部３３からの選局指示に応じて選局を行う。アナログチューナー部１２からの受信信号は、ＡＶスイッチ部１３において、音声信号と映像信号とに分離され、映像信号はビデオセレクタ部１８に入力され、音声信号はオーディオセレクタ部２６に入力される。
【００２４】
デジタルチューナー部１４は、デジタル放送受信用アンテナ４０を介して受信するデジタルテレビ放送信号を選局するもので、選局部３３からの選局指示に応じて受信するチャンネルの選局を行う。デジタルチューナー部１４からの受信信号は、デジタル復調部１５にて復調され、分離部（ＤＭＵＸ）１６に送られる。
【００２５】
ＩＰ放送チューナー部２３は、電話回線・ＬＡＮ等に接続された通信制御部３４を介して受信するＩＰ放送を選局するもので、選局部３３からの選局指示に応じて受信する特定のＩＰ放送を選局し、出力を分離部（ＤＭＵＸ）１６に送る。
【００２６】
分離部（ＤＭＵＸ）１６は、デジタル復調部１５又はＩＰ放送チューナー部２３から入力された、多重化された映像データ、音声データを分離し、映像データをビデオデコード／キャプチャ部１７に送り、音声データをオーディオデコード部２５に送る。さらに、分離部（ＤＭＵＸ）１６は、放送信号に含まれるＥＰＧデータ等のデータを抽出し、ＥＰＧ／ＯＳＤ／予約処理部２４に送る。なお、分離部（ＤＭＵＸ）１６によって抽出された放送波信号は、必要に応じてＣＰＵ６による書き込み制御によりメモリ７に記録される。
【００２７】
ビデオデコード／キャプチャ部１７は、分離部（ＤＭＵＸ）１６によって分離された映像データをデコードしたり、映像データに含まれるビデオ情報を静止画としてキャプチャしたりする。前記ビデオデコード／キャプチャ部１７によってデコードされた映像信号は、ビデオセレクタ部１８に送られる。ビデオセレクタ部１８には、既に説明したとおり、アナログチューナー部１２からの映像信号が入力されており、また、外部入力部３１からの映像信号も入力されている。ビデオセレクタ部１８は、ＣＰＵ６からの制御信号により、これらの入力映像信号から１つの映像信号を選んで出力し、映像処理部１９に送る。
【００２８】
映像処理部１９では、入力された映像信号に対して、例えば、ノイズリダクションの処理、シャープネスの調整、コントラストの調整等の映像処理を行い、液晶表示装置２２に対して最適な映像信号となるように映像データを変換する。
【００２９】
表示制御部２１は、受信した映像データを液晶表示装置２２に表示させるための駆動回路を含む部分であり、加算回路２０によって加算された、ＥＰＧ／ＯＳＤ／予約処理部２４からの電子番組表（ＥＰＧ；Electronic Program Guide）データ、或いは、ＯＳＤ（オン・スクリーン・ディスプレイ）データを、映像処理部１９からの映像データに加えて液晶表示装置２２に送る。液晶表示装置２２では、送られてきた映像データを画面上に表示する。
【００３０】
ＥＰＧ／ＯＳＤ／予約処理部２４では、更に、本発明に従ったスケーリング表示のための処理を行うが、この点については、後で詳細に説明する。
【００３１】
オーディオデコード部２５は、分離部（ＤＭＵＸ）１６によって分離された音声データをデコードするものである。オーディオデコード部２５は、デコードした音声信号をオーディオセレクタ部２６に送る。
【００３２】
オーディオセレクタ部２６では、ＡＶスイッチ部１３からの音声信号、外部入力部３１からの音声信号、及び、オーディオデコード部２５からの音声信号を受け、ＣＰＵ６からの制御によってビデオセレクタ部１８で選択された映像信号に対応した音声信号を選択し、音声出力変換部２７を介して音声信号をスピーカ２８に送る。音声出力変換部２７は、受信した音声信号をスピーカ２８での再生に最適な信号に変換してスピーカ２８に供給する。
【００３３】
リモコン受光部３５は、リモートコントローラ３６（以下リモコン３６という）からの光信号を受信して、前記リモコン３６からの制御信号を受け付けるためのものである。後から説明するスケーリング表示への移行、スケーリング表示時の各種ボタンの選択と決定等、ユーザからの指示は、このリモコン３６を介して行われる。
【００３４】
ＥＰＧ／ＯＳＤ／予約処理部２４は、定期的に更新保存されたＥＰＧデータに基づき電子番組表を作成し、また、メモリ７に予め保存されているＯＳＤデータを描画する。前記のＯＳＤデータとは、例えば、予めメモリ７に記憶された設定メニュー画面、音量ケージ、現在時刻、選局チャンネル等の各種情報を描画するためのデータである。また、ＥＰＧ／ＯＳＤ／予約処理部２４は、前記の電子番組表を利用して番組の予約処理等を行う。
【００３５】
ＥＰＧ／ＯＳＤ／予約処理部２４は、更に、ＣＰＵ６と協働して、図４に示すスケーリング表示を実行する。即ち、スケーリング表示時において、入力映像を映像領域１１０にスケーリング表示すると共に、トップ領域１２０、サイド領域１３０、およびキーガイダンス領域１４０に表示すべきデータをメモリ７から読出し、これを表示装置の表示画面１００に描画する。さらに、リモコン３６からの入力によって選択された各種の「ボタン」に割り振られた機能を実行し、その結果に基づく表示を司る。
【００３６】
通信制御部３４は、電話回線、ＬＡＮ、インターネット等のネットワーク網を介して通信を確立させるように制御を行う。
【００３７】
以上の説明では、特に、テレビ受像機を例にして述べているが、その他にも、テレビを視聴可能とした携帯機器、例えば、携帯電話、カーナビゲーションシステム、携帯ゲーム端末機等においてテレビを受信する場合にも本願の発明に従った表示方法を適用できることは明らかである。
【００３８】
図３は、図２に示されたリモートコントローラ３６の具体例を示す図である。リモートコントローラ３６（以下リモコンという。）は、本体部６０と該本体部６０の表面に設けた各種のキー群を有している。このようなリモコン自体は既に公知であり、全てのキーについての詳細な説明は省略するが、チャンネル選択のためのキー群６１、放送切替え時に使用されるキー郡６２、録画リストを表示させるためのキー６３、表示画面１００上に設定された「ボタン」を選択するための十字キー６４、選択した「ボタン」を決定するための決定キー６５、表示を特定の表示状態にするホームキー６６等を有している。なお、図３に示したリモコンでは、キー群６１を使用してひらがな等の入力が可能になっている。
【００３９】
図２に示したテレビ受像機１０によってテレビ放送を受信・視聴中に、ユーザは何時でも入力映像を、図４に示したスケーリング表示モードに切替えて表示させることができる。これはリモコン３６を操作することによって行われるが、例えば、ホームキー６６にスケーリング表示モードへの切替え機能を割当てておくことにより、ユーザは単にホームキー６６を押すことで、任意のタイミングで表示画面をスケーリング表示モードに切替えることが出来る。以上に述べたリモコン及び該リモコンによる操作は一例であり、種々の変更が可能なことは言うまでもない。
【００４０】
図４は、本発明に係る表示装置における表示画面１００の構成を示す図である。この図において、１００は、本発明に係る表示装置の表示画面であり、この表示画面１００には、テレビチューナー等からの入力映像を表示する映像領域１１０、表示画面１００内の最上部に配置されるトップ領域１２０、映像領域１１０の右側に配置されるサイド領域１３０と、トップ領域１２０と映像領域１１０との間に配置されるキーガイダンス領域１４０とを含んでいる。
【００４１】
映像領域１１０は、入力映像を、該入力映像のアスペクト比を保ったまま表示するための領域である。すなわち、例えば、入力映像が、１６：９のアスペクト比を有する日本のハイビジョンテレビ放送の受信映像であれば、映像領域１１０はアスペクト比１６：９の領域に設定されている。これにより、入力映像を映像領域１１０に、該入力映像のアスペクト比を変えることなくスケーリング表示可能としている。表示画面１００が１６：９のアスペクト比を有している場合には、映像領域１１０は、表示画面１００と相似な形状となっていることになる。
【００４２】
この場合、スケーリング表示を行っていない通常の表示状態では、入力映像は表示画面１００の全体に表示されることになる。そして、後で詳細を説明するが、ユーザがリモコンの特定ボタンを操作すること等によって、図４に示すようなスケーリング表示を行う表示モード（スケーリング表示モード）に移行することになる。
【００４３】
なお、表示画面１００は、アスペクト比が１６：９のものに限らず、例えば、アスペクト比が２１：９のような超ワイドに構成された表示画面であっても良い。
【００４４】
トップ領域１２０は、表示画面１００の左右両側の辺部にまで到達するように形成されており、サイド領域１３０は、トップ領域１２０の下辺に接して下方向に延びている。このようにトップ領域１２０をサイド領域１３０の上部を覆うように構成することにより、トップ領域１２０がサイド領域１３０より階層的に上位にあることを視覚的且つ直感的に想起させることができる。この特性を利用してトップ領域１２０、サイド領域１３０に上位、下位の関係にある情報を表示させることにより、直感的な操作が可能なユーザーフレンドリーなインターフェースを実現できる。
【００４５】
トップ領域１２０、サイド領域１３０、およびキーガイダンス領域１４０は、入力映像とは異なる有用な情報が表示される領域であり、更には、特定の機能を実行するための複数の「ボタン」を表示する領域としても用いられる。この「ボタン」を表示している領域は、例えば、リモコンの特定キーによって選択可能であり、選択後にリモコンの「決定」キー等を押すことにより、選択された「ボタン」に割り振られた特定の機能を実行させることができる。
【００４６】
なお、図４において、前記映像領域１１０は、表示画面１００の左辺部分に「接して」いるように描かれているが、厳密な意味で接している必要はなく、要は、ユーザが視覚的に「接している」と思われるようであれば良いことは言うまでも無い。従って、この明細書において、「接する」等の用語は、このような意味で使用している。
【００４７】
また、表示画面１００において、映像領域１１０をどの程度の大きさに設定するか、さらには、トップ領域１２０とキーガイダンス領域１４０の画面縦方向の寸法をどのように設定するかは、映像領域１１０に表示された映像の見易さと、トップ領域１２０、サイド領域１３０、およびキーガイダンス領域１４０に表示された情報の見易さと、表示画面１００の全体の見易さとを勘案して決定される。
【００４８】
ユーザがリモコン３６の所定ボタン（ホームキー６６など）を押下すると、液晶表示装置２２の画面は、入力映像の全画面表示状態から、図５に示す表示画面１００の表示状態に移行する。図５は、入力映像がスケーリング表示された状態の表示画面１００を詳細に示す図である。この図に示すように、トップ領域１２０には、ユーザが選択可能な複数の項目が表示される。各項目は、ボタンおよび当該ボタンの名称からなる。これらの項目は、テレビ受像機１０において処理可能な機能を表示するメニューの第１階層に含まれる。ユーザはリモコン３６を操作して、トップ領域１２０に表示された複数の項目の中からいずれか一つを選択する。現在選択中の項目には、他の項目と識別表示される。図５の例では、選択中の項目にフォーカス１５０が同時に表示される。これにより、ユーザは現在どの項目が選択されているのかを容易に把握できる。
【００４９】
サイド領域１３０の上部には、トップ領域１２０において現在選択中の項目に下層に位置する、複数の項目が表示される。これらの項目は、メニューの第１サブ階層に含まれることになる。
【００５０】
サイド領域１３０のうち残りの領域には、第１サブ階層中に含まれる複数の選択項目のうち現在選択中の項目の下層に位置する複数の項目が表示される。これらの項目は、メニューの第２階層に含まれることになる。
【００５１】
キーガイダンス領域１４０には、リモコン３６に備えられる複数のボタンのうち、いずれかについて、どのボタンを押下すればどのような処理が可能になるのかを示す情報が、ボタンごとに表示される。これらの情報をまとめてキーガイダンスと呼ぶ。より具体的には、本実施形態では、キーガイダンスとして、トップ領域１２０およびサイド領域１３０に表示される項目を選択する際に入力がキーをガイドする情報が表示される。
【００５２】
ユーザはリモコン３６を操作して、サイド領域１３０の上部に表示された複数の項目の中からいずれか一つを選択する。このとき、現在選択中の項目は他の項目と識別表示される。図６の例では、現在選択中の項目にはフォーカス１６０が同時に表示される。図６は、サイド領域１３０の上部に表示された複数の項目のうち選択中のものにフォーカス１６０を表示した状態の表示画面１００を示す図である。この図に示すように、現在選択中の項目にはフォーカス１６０が同時に表示される（図６）。これによりユーザは、第１サブ階層に項目のうちどれが選択されているのかを容易に把握できる。なお、このときキーガイダンスはキーガイダンス領域１４０に表示されたままである。
【００５３】
図６の表示画面１００が表示されているとき、ユーザはリモコン３６を操作して、サイド領域１３０に表示された第２階層の複数項目の中から、いずれか一つを選択する。このとき、現在選択中の項目は、他の項目と識別表示される。図１の例では、現在選択中の項目にフォーカス１７０が同時に表示される。図１は、サイド領域１３０に表示された第２階層の複数項目のうち選択中のものにフォーカス１７０および当該選択中の項目のガイダンスを表示した状態の表示画面１００を示す図である。この図に示すように、現在選択中の項目にはフォーカス１７０が同時に表示される。これによりユーザは、第２階層の項目のうちどれが選択されているのかを容易に把握できる。なお、このときキーガイダンスはキーガイダンス領域１４０に表示されたままである。
【００５４】
図１に示す例では、ユーザによって選択された項目にフォーカス１７０が表示され、その表示が規定の時間（本実施形態では３秒）継続した場合、当該項目の直下に、当該項目のガイダンス１８０が表示される。このガイダンス１８０は、フォーカス１７０が表示されている項目（図７では「無信号オフ」という項目）の選択が確定した場合にテレビ受像機１０に反映される設定の内容を、ユーザに説明する情報である。図７に示すように、現在選択中の項目と、当該項目のガイダンスとが互いに近接して同時に表示されるため、両者の関係はユーザにとって非常に分かりやすい。なお、ガイダンス１８０は、フォーカス１７０が表示されている項目の下ではなく上に表示してもよい。いずれにせよ、両者は近接して表示される。
【００５５】
図１に示すように、ガイダンス１８０が表示されているとき、キーガイダンスはキーガイダンス領域１４０に表示されたままである。すなわち、図７ではガイダンス１８０がキーガイダンス領域１４０に表示されることがないので、キーガイダンスは表示画面１００から消去されずに済む。したがってユーザは、表示画面１００に表示された各項目を選択する際のリモコン３６の操作方法を、表示画面１００上の表示から常時参照することができる。
【００５６】
ガイダンス１８０は、図７に示す手順によって表示することもできる。図７（ａ）は、サイド領域１３０において選択中の項目にフォーカス１７０を表示した状態の表示画面１００を示す図であり、（ｂ）は、当該選択中の項目およびガイダンス１８０をサイド領域１３０における固定位置に表示した状態の表示画面１００を示す図である。
【００５７】
図７（ａ）では、ユーザによって選択された項目にフォーカス１７０が表示されている。この時点では、フォーカス１７０の表示が開始してから規定の時間が経過していないので、ガイダンス１８０は表示されていない。ここで、フォーカス１７０の表示が開始してから規定の時間が経過すると、図７（ｂ）に示すように、フォーカス１７０が表示されている項目の表示位置が、元の位置では無い別の固定位置に移動する。本実施形態では、サイド領域１３０に縦ならびに表示される第２階層の複数項目のうち、最も上の項目（一番最初の項目）が表示される位置まで移動する。そして、移動した位置に、ユーザが選択中の項目が表示されると共に、当該項目に周囲にフォーカス１７０が表示され、さらに、当該項目の下にガイダンス１８０が表示される。選択中の項目以外の全項目の表示は消される。また、選択中の項目は、元の位置（図７（ａ）に示す位置）から移動先の位置（図７（ｂ）に示す位置）までアニメーション移動する。
【００５８】
図７の例では、第２階層に属する複数の項目のうちいずれの項目が選択されている場合でも、フォーカス１７０が表示される項目、および当該項目のガイダンス１８０は常に同じ位置に表示される。したがって、ユーザは表示画面１００上における同じ位置を見るだけで、選択中の項目およびガイダンス１８０を素早く見つけ出すことができる。
【００５９】
サイド領域１３０に表示される複数の項目のうち、一つの項目の選択を確定させた場合、当該項目の種類によっては、当該項目の下層に位置する複数の項目が、サイド領域１３０に表示される場合もある。この例について、図８を参照して説明する。図８は、サイド領域１３０において選択が確定された第２階層の項目に位置する複数の項目を表示した状態の表示画面１００を示す図である。
【００６０】
図８の表示画面１００では、サイド領域１３０に表示される複数の項目のうち、ユーザが一つの項目の選択を確定させた場合、当該選択された項目の下層（第３階層）に位置する複数の項目（下層項目）が、サイド領域１３０に表示される。サイド領域１３０には、第１サブ階層の項目を表示する位置の直下から順に、選択された第２階層の項目、当該項目のガイダンス、当該項目の下層（第３階層）に位置する複数の項目（下層項目、ボタン項目）、第３階層の各項目のガイダンス（ボタンガイダンス、下層ガイダンス）の全て、およびキーガイダンスが、表示される。なおボタンガイダンスは、当該ボタンガイダンスに対応するボタン項目の選択が確定した場合にテレビ受像機１０に反映される設定の内容を、ユーザに説明する情報である。
【００６１】
ユーザは、リモコン３６を操作して、複数のボタン項目のうちいずれかを選択できる。現在選択中のボタン項目は、他のボタン項目と識別表示される（フォーカスの追加表示、色変更など）。また、複数のボタンガイダンスのうち、現在識別表示されているボタン項目のボタンガイダンスは、他のボタンガイダンスと識別表示される。たとえば、識別表示対象のボタンガイダンスの文字色、文字のサイズ、文字の太さ、および文字の種類のうち少なくともいずれかを、他のボタンガイダンスと異ならせる。あるいは、識別表示対象のボタンガイダンスに下線または飾りを付したり、当該ボタンガイダンスの文字を点滅させたりアニメーション表示させたりする。これらの措置によって、ユーザが現在どのボタン項目を選択中であるのか、一目で把握できる。
【００６２】
さらに、図８の例では、キーガイダンスはキーガイダンス領域１４０ではなく、サイド領域１３０におけるボタンガイダンスの下に表示される。したがって、サイド領域１３０ではなく画面の最下部にキーガイダンスを表示する従来技術とは異なり、ユーザが視聴する映像を妨げず、かつ、操作時のユーザの視点移動をより少なくすることができるという利点が得られる。
【００６３】
ボタン項目が多かったり、ボタンガイダンスが多くの文字を含んでいたりする場合、これらを同時にサイド領域１３０内に表示できない場合がある。その場合は、図９に示すように、ガイダンス、複数のボタン項目、および複数のボタンガイダンスは全画面表示される。図９は、ガイダンス、複数のボタン項目、および複数のボタンガイダンスを全画面表示した状態の表示画面１００を示す図である。
【００６４】
図９の例では、ユーザが選択を確定させた第２階層の項目のガイダンス、当該項目の下層に位置する複数のボタン項目、および当該複数のボタンの項目のいずれかを個別に説明する複数のボタンガイダンスが、全画面表示されている。より具体的には、画面中央の上部にガイダンスが表示され、その下に、複数のボタン項目が縦並びに表示され、さらに、各ボタン項目の横に当該ボタン項目のボタンガイダンスが表示される。現在選択中のボタン項目は他のボタン項目と識別表示されている。
【００６５】
このように、サイド領域１３０では充分に情報を表示できない場合、各情報を全画面表示することによって、ユーザに提示すべき必要な情報を確実にユーザに提示できるという利点が生ずる。
【００６６】
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【００６７】
たとえば、サイド領域１３０は表示画面１００の右側ではなく左側にあってもよい。
【００６８】
また、第２階層に属するボタン項目があり、かつ当該ボタン項目を説明するボタンガイダンスが用意されていてもよい。この場合、第２階層に属する複数のボタン項目のうち、ユーザによって選択中のボタン項目を説明するボタンガイダンスを、当該選択中のボタン項目の識別表示を開始してから規定の時間後に、当該ボタン項目に近接させて表示する。
【００６９】
（プログラム及び記録媒体）
最後に、テレビ受像機１０に含まれている各部は、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００７０】
すなわちテレビ受像機１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、及び、上記プログラム及び各種データを格納するメモリ等の記憶装置（記録媒体）を備えている。この構成により、本発明の目的は、所定の記録媒体によっても、達成できる。
【００７１】
この記録媒体は、上述した機能を実現するソフトウェアであるテレビ受像機１０のプログラムのプログラムコード（実行形式プログラム、中間コードプログラム、ソースプログラム）をコンピュータで読み取り可能に記録していればよい。テレビ受像機１０に、この記録媒体を供給する。これにより、コンピュータとしてのテレビ受像機１０（またはＣＰＵやＭＰＵ）が、供給された記録媒体に記録されているプログラムコードを読み出し、実行すればよい。
【００７２】
プログラムコードをテレビ受像機１０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００７３】
また、テレビ受像機１０を通信ネットワークと接続可能に構成しても、本発明の目的を達成できる。この場合、上記のプログラムコードを、通信ネットワークを介してテレビ受像機１０に供給する。この通信ネットワークはテレビ受像機１０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００７４】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００７５】
（本発明の総括）
以上のように、本発明に係る表示装置は、
表示画面に入力映像をスケーリング表示可能とした表示装置であって、
前記表示画面は、
前記表示画面の左辺部に接して配置され、前記入力映像がスケーリング表示される映像領域と、
前記表示画面の最上部に配置され、ユーザによって選択可能な複数の項目を表示するためのトップ領域と、
前記表示画面の左部または右部に配置され、前記トップ領域において前記ユーザによって選択された項目よりも下層に位置する複数の項目を少なくとも表示するためのサイド領域と、
前記映像領域と前記トップ領域との間に配置され、前記表示装置を操作するためのキーを説明する情報を表示するためのキーガイダンス領域とを少なくとも含んでおり、
前記サイド領域に表示される前記複数の項目のうち前記ユーザによって現在選択中の項目を、他の項目と識別表示する項目識別表示手段と、
前記項目識別表示手段によって、前記選択中の項目が規定の時間だけ識別表示された後において、当該選択中の項目を説明するガイダンスを当該サイド領域内において当該選択中の項目に近接させて表示するガイダンス表示手段とを備えていることを特徴としている。
【００７６】
また、本発明の表示装置では、さらに、
前記項目識別表示手段は、
前記サイド領域において表示されている複数の項目のうち、前記ユーザによって選択中の項目以外の項目の表示を全て消去すると共に、当該選択中の項目を、前記サイド領域における固定位置に表示することが好ましい。
【００７７】
上記の構成によれば、ユーザによって選択中の項目と、当該項目のガイダンスとは、サイド領域において、項目の種類に関わらず常に同じ位置に表示される。したがって、ユーザは表示画面上における同じ位置を見るだけで、選択中の項目およびガイダンスを素早く見つけ出すことができる。
【００７８】
また、本発明の表示装置では、さらに、
前記サイド領域において表示されている複数の項目のうち、前記ユーザによる選択が確定した項目の前記ガイダンスと、当該選択が確定した項目の下層に位置する複数の下層項目と、当該複数の下層項目のいずれかを個別に説明する複数の下層ガイダンスと、前記サイド領域における上から順に表示する表示手段をさらに備えていることが好ましい。
【００７９】
上記の構成によれば、複数の下層項目をそれぞれ個別に説明する複数の下層ガイダンスが同時にサイド領域に表示されるので、ユーザは、下層項目のガイダンスを読むためにいちいち所望の下層項目を選択する必要が無い。
【００８０】
また、本発明の表示装置では、さらに、
前記表示手段は、前記サイド領域において、前記キーガイダンスを前記複数の下層ガイダンスの下に表示することが好ましい。
【００８１】
前記の構成によれば、キーガイダンスがサイド領域において一番下に表示される。したがって、サイド領域ではなく画面の最下部にキーガイダンスを表示する従来技術とは異なり、ユーザが視聴する映像を妨げず、かつ、操作時のユーザの視点移動をより少なくすることができるという利点が得られる。
【００８２】
また、本発明の表示装置では、さらに、
前記表示手段は、前記複数の下層項目のうち前記ユーザによって現在選択中の下層項目を、これ以外の下層項目と識別表示すると共に、当該選択中の下層項目を説明するガイダンスを、これ以外のガイダンスと識別表示することが好ましい。
【００８３】
上記の構成によれば、ユーザは、現在選択中の下層項目を説明するガイダンスがどれかのかを、一目で把握することができる。
【００８４】
また、本発明の表示装置では、さらに、
前記サイド領域において表示されている複数の項目のうち、前記ユーザによる選択が確定した項目の前記ガイダンスと、当該選択が確定した項目の下層に位置する複数の下層項目と、当該複数の下層項目のいずれかを個別に説明する複数の下層ガイダンスと、前記キーガイダンスとを、前記表示画面において全画面表示することが好ましい。
【００８５】
上記の構成によれば、下層項目の数や下層ガイダンスの文字数が、サイド領域に表示しきれないほど多い場合でも、全画面表示することによって、漏れなく全て表示できる。
【００８６】
なお、上記表示装置は、コンピュータによって実現してもよい。この場合、コンピュータを上記各手段として動作させることにより前記表示装置をコンピュータにおいて実現するプログラム、およびそのプログラムを記録したコンピュータ読み取り可能な記録媒体も、本発明の範疇に入る。
【００８７】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する特許請求事項の範囲内で、いろいろと変更して実施することができるものである。
【産業上の利用可能性】
【００８８】
本発明は、テレビ受像機等の表示装置として最適に利用できる。
【符号の説明】
【００８９】
１００  表示画面
１１０  映像領域
１２０  トップ領域
１３０  サイド領域
１４０  キーガイダンス領域
１５０  フォーカス
１６０  フォーカス
１７０  フォーカス
１８０  ガイダンス
【図１】
2011037188.tif 000003
【図２】
2011037188.tif 000004
【図３】
2011037188.tif 000005
【図４】
2011037188.tif 000006
【図５】
2011037188.tif 000007
【図６】
2011037188.tif 000008
【図７】
2011037188.tif 000009
【図８】
2011037188.tif 000010
【図９】
2011037188.tif 000011
【国際調査報告】
2011037188.tif 000012
2011037188.tif 000013
2011037188.tif 000014
2011037188.tif 000015